(57)【特許請求の範囲】
【請求項１】
少なくとも腰から大腿部の上側１／２よりも下側までの下半身を覆い、伸縮性生地よりなる本体部の一部に緊締力の強い帯状の緊締部を有する股付き衣類であって、前記緊締部は、
身体の前側を上前腸骨棘突起から恥骨に対応する位置まで伸長され、この恥骨に対応する位置を端部とする腰緊締部と、
股関節に対応する身体の側部を端部とし、この股関節に対応する身体の側部から斜め下方に大腿部前側に向かい、大腿部の半分よりも下側で、かつ、前側中央ラインよりも内側の領域まで伸長された大腿部第１緊締部と、
坐骨から斜め下方に大腿部前側に向かい、大腿部の半分よりも下側で、かつ、前側中央ラインよりも内側の領域まで伸長された大腿部第２緊締部と
上前腸骨棘突起から腸骨の縁に沿って仙骨まで伸長され、かつ、仙骨を下方に向かって坐骨結節まで伸長された臀部第１緊締部と、
坐骨結節又は坐骨結節の下近傍から股関節に対応する身体の側部を通り、上前腸骨棘突起の後方まで伸長された臀部第２緊締部と
を有することを特徴とする股付き衣類。
【請求項２】
少なくとも腰から足裏の少なくとも一部までの下半身を覆い、前記緊締部は、更に、
前脛骨筋に沿って起始から停止まで伸長された膝下第１緊締部と、
脛骨の内側上端部から腓腹筋に沿って内側くるぶしの後方をとおり、足の内側から踵骨、舟状骨、立方骨、又は、全楔状骨の底面まで伸長された膝下第２緊締部と、
脛骨の外側上端部から腓腹筋に沿って外側くるぶしの後方をとおり、足の外側から踵骨、舟状骨、立方骨、又は、全楔状骨の底面まで伸長された膝下第３緊締部と
を有することを特徴とする請求項１記載の股付き衣類。
【発明の詳細な説明】
【技術分野】
【０００１】
本発明は、歩行時に正しい体重移動ができるように補助する股付き衣類及びソックス状衣類に関する。
【背景技術】
【０００２】
日々の日常生活で、正しい歩き方ができないと、骨盤、股関節、膝関節、又は、足関節が歪み、痛みが生じたり、怪我につながることもある。特に、筋力の衰えたお年寄りや、筋力の弱い女性・子供、又は筋肉の張りが弱い人などは、歪みが生じやすい。従来、この歪みを調整又は矯正するものとしては、大腿部にテーピングテープを巻き付ける方法などが知られている。
【先行技術文献】
【特許文献】
【０００３】
【特許文献１】国際公開ＷＯ２００４／０９６１０５号公報
【発明の概要】
【発明が解決しようとする課題】
【０００４】
しかしながら、テーピングの場合、テープを巻くのに手間がかかるという問題や、専門知識のない者では巻くのが難しい場合があるという問題があった。また、テーピングで関節を固定すると、関節を動かさない場合は良いが、関節を動かすと無理な力が加わり、関節を痛めやすいという問題もあった。更に、テーピングの場合、内旋又は外旋については、現状の位置での固定で、正常な位置での固定ができにくく、関節を痛めやすいという問題もあった。
【０００５】
なお、特許文献１には、腰部から大腿部の上部までを被覆する本体部に緊締力の強いサポートライン部を設けた股付き衣類が記載されており、サポートライン部は、大腿骨の長手方向の前側ラインよりも外側に対応する位置を下端とし、臀溝の内側端よりも外側に対応する位置を上端として、下端から前側ラインに対応する部分を通り、上端に向けてらせん状に巻かれている。しかし、特許文献１に記載のサポートライン部と、本発明の緊締部とは、配設位置が異なっている。
【０００６】
本発明は、このような問題に基づきなされたものであり、簡単に利用することができ、かつ、歩行時に正しい体重移動ができるように補助することができる股付き衣類及びソックス状衣類を提供することを目的とする。
【課題を解決するための手段】
【０００７】
本発明の股付き衣類は、少なくとも腰から大腿部の上側１／２よりも下側までの下半身を覆い、伸縮性生地よりなる本体部の一部に緊締力の強い帯状の緊締部を有するものであって、緊締部は、身体の前側を上前腸骨棘突起から恥骨に対応する位置まで伸長された腰緊締部と、股関節に対応する身体の側部から斜め下方に大腿部前側に向かい、大腿部の半分よりも下側で、かつ、前側中央ラインよりも内側の領域まで伸長された大腿部第１緊締部と、坐骨から斜め下方に大腿部前側に向かい、大腿部の半分よりも下側で、かつ、前側中央ラインよりも内側の領域まで伸長された大腿部第２緊締部とを有するものである。
【０００８】
本発明のソックス状衣類は、少なくとも膝蓋骨の下から足裏の少なくとも一部までの下半身を覆い、伸縮性生地よりなる本体部の一部に緊締力の強い帯状の緊締部を有するものであって、緊締部は、前脛骨筋に沿って起始から停止まで伸長された膝下第１緊締部と、脛骨の内側上端部から腓腹筋に沿って内側くるぶしの後方をとおり、足の内側から踵骨、舟状骨、立方骨、又は、全楔状骨の底面まで伸長された膝下第２緊締部と、脛骨の外側上端部から腓腹筋に沿って外側くるぶしの後方をとおり、足の外側から踵骨、舟状骨、立方骨、又は、全楔状骨の底面まで伸長された膝下第３緊締部とを有するものである。
【発明の効果】
【０００９】
本発明によれば、身体の前側を上前腸骨棘突起から恥骨に対応する位置まで伸長された腰緊締部を有するようにしたので、腰緊締部の緊締力により、骨盤を内側に寄せて骨盤の開きを正しい位置に補正することができる。よって、仙骨と左右の腸骨からなる仙腸関節、及び、腸骨が前面で連結している恥骨結合の動きを正しく補正することができる。
【００１０】
また、股関節に対応する身体の側部から斜め下方に大腿部前側に向かい、大腿部の半分よりも下側で、かつ、前側中央ラインよりも内側の領域まで伸長された大腿部第１緊締部を有するようにしたので、大腿部第１緊締部の緊締力により大腿四頭筋にアプローチし、大腿部を持ち上げる力を補助することができる。よって、階段の上り動作を補助することができると共に、つまずき又は転倒などを予防することができる。
【００１１】
更に、腰緊締部及び大腿部第１緊締部により、股関節を安定させることができると共に、骨盤の前傾又は反り腰を補正することができる。よって、歩行時における体重移動及び姿勢が正しくなるように補助することができ、腰痛などの痛みを緩和することができる。
【００１２】
加えて、坐骨から斜め下方に大腿部前側に向かい、大腿部の半分よりも下側で、かつ、前側中央ラインよりも内側の領域まで伸長された大腿部第２緊締部を有するようにしたので、大腿部第２緊締部の緊締力により大内転筋、短内転筋、長内転筋、薄筋、及び、恥骨筋にアプローチし、股関節の内転を補助することができる。よって、脚を上げた時に自然と股関節を内転させ、大腿部を内側に寄せることができ、Ｏ脚歩行を改善し、歩行時における体重移動及び姿勢が正しくなるように補助することができる。従って、膝の怪我を予防することができると共に、膝の痛みを緩和することができる。
【００１３】
更にまた、上前腸骨棘突起から腸骨の縁に沿って仙骨まで伸長され、かつ、仙骨を下方に向かって坐骨結節まで伸長された臀部第１緊締部を有するようにすれば、脚を上げたときに骨盤が後方に引かれ、骨盤前傾又は反り腰を補正する力をより高めることができる。また、内転筋の対角線となり、脚を上げた時にバランスをとることができる。
【００１４】
加えてまた、坐骨結節又は坐骨結節の下近傍から股関節に対応する身体の側部を通り、上前腸骨棘突起の後方まで伸長された臀部第２緊締部を有するようにすれば、臀部の形を整えることができると共に、内転筋のアンカーとなり、内転筋の働きをより高めることができる。
【００１５】
更にまた、前脛骨筋に沿って起始から停止まで伸長された膝下第１緊締部と、脛骨の内側上端部から腓腹筋に沿って内側くるぶしの後方をとおり、足の内側から踵骨、舟状骨、立方骨、又は、全楔状骨の底面まで伸長された膝下第２緊締部と、脛骨の外側上端部から腓腹筋に沿って外側くるぶしの後方をとおり、足の外側から踵骨、舟状骨、立方骨、又は、全楔状骨の底面まで伸長された膝下第３緊締部とを有するようにすれば、膝下第１緊締部により前脛骨筋にアプローチし、膝下第２緊締部により後脛骨筋にアプローチし、膝下第３緊締部により長腓骨筋にアプローチして、歩行時の体重移動が正しくできるように補助し、外反母趾や脚の怪我を予防することができる。また、腓腹筋及びヒラメ筋にもアプローチすることができ、筋力を強化することもできる。更に、両くるぶしを包み込むように通過するので、踵及び足関節を安定させることができる。
【図面の簡単な説明】
【００１６】
【図１】本発明の第１の実施の形態に係る股付き衣類を前から見た構成を表す図である。
【図２】図１に示した股付き衣類を後から見た構成を表す図である。
【図３】図１に示した股付き衣類を脇から見た構成を表す図である。
【図４】本発明の第２の実施の形態に係る股付き衣類の膝下部分を前から見た構成を表す図である。
【図５】図４に示した股付き衣類の膝下部分を後から見た構成を表す図である。
【図６】図４に示した股付き衣類を足裏から見た構成を表す図である。
【図７】本発明の第３の実施の形態に係るソックス状衣類の膝下部分を前から見た構成を表す図である。
【図８】図７に示したソックス状衣類の膝下部分を後から見た構成を表す図である。
【図９】図８に示したソックス状衣類を足裏から見た構成を表す図である。
【発明を実施するための形態】
【００１７】
以下、本発明の実施の形態について図面を参照して詳細に説明する。
【００１８】
（第１の実施の形態）
図１は、本発明の第１の実施の形態に係る股付き衣類を前から見た構成を表すものであり、図２は後から見た構成を表すものであり、図３は脇から見た構成を表すものである。なお、図１から図３では、対応する人体の骨格を破線により合わせて表している。
【００１９】
この股付き衣類は、少なくとも腰１０Ａから大腿部１０Ｂの上側１／２よりも下側までの下半身を覆うものであり、伸縮性生地よりなる本体部１０を備えている。なお、大腿部１０Ｂの上下方向における半分の位置というのは、例えば、股関節１０Ｃの位置Ｉと膝蓋骨１０Ｄの中心位置ＩＩとの間の中間位置ＩＩＩである。また、この股付き衣類は、ズボン、スパッツ、ストッキング、サポーター、ガードル、又はインナー等、股付きであれば名称に関係なくどのようなものでもよい。
【００２０】
本体部１０は、少なくとも腰１０Ａから大腿部１０Ｂの上側１／２よりも下側までの下半身を全体にわたって覆う股付きの被覆部１１と、本体部１０の一部に設けられた緊締力の強い帯状の緊締部１２とを有している。被覆部１１は、体を強く締め付けない方が好ましく、体に沿う程度の伸縮性を有する生地により構成することが好ましい。体を自然な状態とし、体を動かす際に無理な力が加わらないようにするためである。緊締部１２は、例えば、被覆部１１よりも強い緊締力を有する生地、パワーネット等により構成され、被覆部１１に対して縫い合わせたり又は貼り合わせることにより配設されている。緊締部１２の幅は、例えば、３ｃｍから８ｃｍ程度であることが好ましく、全体にわたり同一でもよいが、場所に応じて異なっていてもよい。
【００２１】
緊締部１２は、身体の前側を上前腸骨棘突起１２Ａから恥骨１２Ｂに対応する位置まで伸長された腰緊締部１２１を有している。腰緊締部１２１の緊締力により、骨盤を内側に寄せて骨盤の開きを正しい位置に補正し、仙骨１２Ｃと左右の腸骨１２Ｄからなる仙腸関節、及び、腸骨１２Ｄが前面で連結している恥骨結合の動きを正しく補正するためである。
【００２２】
緊締部１２は、また、股関節１０Ｃに対応する身体の側部から斜め下方に大腿部前側に向かい、大腿部１０Ｂの半分よりも下側で、かつ、前側中央ライン１２Ｅよりも内側の領域まで伸長された大腿部第１緊締部１２２を有している。大腿部第１緊締部１２２の緊締力により大腿四頭筋にアプローチし、大腿部１０Ｂを持ち上げる力を補助するためである。具体的には、例えば、大腿部第１緊締部１２２の中心線が、大腿部１０Ｂの半分よりも下側で、かつ、前側中央ライン１２Ｅよりも内側の領域まで伸長されていればよい。また、前側中央ライン１２Ｅというは、例えば、前側から見て股関節１０Ｃの中心と膝蓋骨１０Ｄの中心とを通る大腿部１０Ｂの前側に沿った線である。
【００２３】
緊締部１２は、更に、坐骨１２Ｆから斜め下方に大腿部前側に向かい、大腿部１０Ｂの半分よりも下側で、かつ、前側中央ライン１２Ｅよりも内側の領域まで伸長された大腿部第２緊締部１２３を有している。大腿部第２緊締部１２３の緊締力により大内転筋、短内転筋、長内転筋、薄筋、及び、恥骨筋にアプローチし、股関節１０Ｃの内転を補助するためである。大腿部第２緊締部１２３の下端部は、大腿部第１緊締部１２２の下端部と重なっていてもよく、ずれていてもよい。重なっている場合には、同一体により連続して形成されていてもよく、別体により構成されていてもよい。
【００２４】
緊締部１２は、加えて、上前腸骨棘突起１２Ａから腸骨１２Ｄの縁に沿って仙骨１２Ｃまで伸長され、かつ、仙骨１２Ｃを下方に向かって坐骨結節１２Ｇまで伸長された臀部第１緊締部１２４を有していることが好ましい。臀部第１緊締部１２４の緊締力により、脚を上げたときに骨盤が後方に引かれるので、骨盤前傾又は反り腰を補正することができると共に、内転筋の対角線となるので、脚を上げた時にバランスをとることができるからである。臀部第１緊締部１２４は、上前腸骨棘突起１２Ａにおいて腰緊締部１２１と同一体により連続して構成されていてもよく、別体により構成されていてもよい。
【００２５】
緊締部１２は、更にまた、坐骨結節１２Ｇ、又は、坐骨結節１２Ｇの下近傍から股関節１０Ｃに対応する身体の側部を通り、上前腸骨棘突起１２Ａの後方まで伸長された臀部第２緊締部１２５を有していることが好ましい。臀部第２緊締部１２５の緊締力により、臀部の形を整えることができると共に、内転筋のアンカーとなり、内転筋の働きをより高めることができるからである。なお、腰緊締部１２１は、上前腸骨棘突起１２Ａの後方まで伸長され、上面腸骨棘突起１２Ａの後方において、臀部第２緊締部１２５が重ねて設けられていることが好ましく、重なり部分において縫い合わされていればより好ましい。重なり部分が起点となり、腰緊締部１２１により骨盤を内側に寄せる力をより高めることができるからである。
【００２６】
本体部１０の下端部には、脚に締め付ける脚締め付け部２１が設けられていることが好ましい。本体部１０の下端部を脚に密着させて固定することにより、大腿部第１緊締部１２２及び大腿部第２緊締部１２３の効果を高めることができるからである。脚締め付け部２１は、例えば、ゴムなどの伸縮部材により構成するようにしてもよく、面状ファスナーなどにより体に合わせて締め付けるようにしてもよい。本体部１０の上端部には、例えば、腰１０Ａに締め付けて固定するためのゴムなどの伸縮部材よりなる腰締め付け部２２が設けられていてもよい。
【００２７】
この股付き衣類では、腰緊締部１２１により骨盤の開きが正しい位置に補正され、大腿部第１緊締部１２２により大腿部１０Ｂの持ち上げる力が補助され、大腿部第２緊締部１２３により股関節１０Ｃの内転が補助される。また、臀部第１緊締部１２４及び臀部第２緊締部１２５によりこれらの作用がより高められる。
【００２８】
このように、本実施の形態に係る股付き衣類によれば、腰緊締部１２１により骨盤の開きを正しい位置に補正すると共に、大腿部第１緊締部１２２により大腿四頭筋にアプローチし、大腿部１０Ｂを持ち上げる力を補助するようにしたので、股関節１０Ｃを安定させることができると共に、骨盤の前傾又は反り腰を補正することができる。よって、歩行時における体重移動及び姿勢が正しくなるように補助することができ、腰痛などの痛みを緩和することができる。また、大腿部第１緊締部により大腿部１０Ｂを持ち上げる力を補助するようにしたので、階段の上り動作を補助することができると共に、つまずき又は転倒などを予防することができる。
【００２９】
更に、大腿部第２緊締部１２３により大内転筋、短内転筋、長内転筋、薄筋、及び、恥骨筋にアプローチし、股関節の内転を補助するようにしたので、脚を上げた時に自然と股関節を内転させ、大腿部を内側に寄せることができる。よって、Ｏ脚歩行を改善し、歩行時における体重移動及び姿勢が正しくなるように補助し、膝の怪我を予防することができると共に、膝の痛みを緩和することができる。
【００３０】
加えて、臀部第１緊締部１２４を有するようにすれば、脚を上げたときに骨盤が後方に引かれるので、骨盤前傾又は反り腰を補正する力をより高めることができると共に、内転筋の対角線となるので、脚を上げた時にバランスをとることができる。更にまた、臀部第２緊締部１２５を有するようにすれば、臀部の形を整えることができると共に、内転筋のアンカーとなり、内転筋の働きをより高めることができる。
【００３１】
（第２の実施の形態）
図４は、本発明の第２の実施の形態に係る股付き衣類の膝下を前から見た構成を表すものであり、図５は膝下を後から見た構成を表すものであり、図６は足裏から見た構成を表すものである。なお、図４及び図５では、対応する人体の骨格を破線により合わせて表している。また、図４から図６では、左脚について示したが、右脚は左脚と左右対称の構成を有している。
【００３２】
この股付き衣類は、少なくとも腰１０Ａから足裏１０Ｅの少なくとも一部までの下半身を覆うものであり、伸縮性生地よりなる本体部１０を備えている。第１の実施の形態とは長さが異なり、膝下部分の構成を有することを除き、他は同様の構成を有している。よって、対応する構成要素には、同一の符号を付し、詳細な説明は省略する。なお、この股付き衣類は、第１の実施の形態と同様に、ズボン、スパッツ、ストッキング、サポーター、ガードル、又はインナー等、股付きであれば名称に関係なくどのようなものでもよい。
【００３３】
本体部１０は、少なくとも腰１０Ａから足裏１０Ｅの少なくとも一部までの下半身を全体にわたって覆う股付きの被覆部１１と、本体部１０の一部に設けられた緊締力の強い帯状の緊締部１２とを有している。被覆部１１は、足裏の少なくとも一部まで伸長されたことを除き、他は第１の実施の形態で説明したとおりである。被覆部１１は、足全体を覆っていてもよいが、つま先部分は覆わずに開口されていてもよく、また、踵も開口されていてもよい。緊締部１２は、後述する膝下第１緊締部１２６、膝下第２緊締部１２７、及び、膝下第３緊締部１２８を更に有することを除き、他は第１の実施の形態で説明したとおりである。なお、後述する膝下第１緊締部１２６、膝下第２緊締部１２７、及び、膝下第３緊締部１２８の幅は、例えば、１ｃｍから５ｃｍ程度であることが好ましい。また、脚締め付け部２１は設けられている必要はなく、脚締め付け部２１に代えて、つま先の開口端部に、つま先締め付け部２３が設けられていてもよい。腰締め付け部２２は第１の実施の形態と同様に設けられていてもよい。
【００３４】
膝下第１緊締部１２６は、前脛骨筋に沿って起始から停止まで伸長されている。膝下第１緊締部１２６の緊締力により前脛骨筋にアプローチし、歩行時につま先を上がりやすくし、つまずきや転倒を防止すると共に、正しくつま先で地面を蹴ることにより、筋力を増強させるためである。なお、前脛骨筋は、起始を脛骨１２Ｈの外側顆、脛骨１２Ｈの外側面の上部２／３、骨間膜、深筋膜、外側筋間中隔とし、停止を第１楔状骨の内側及び底面側、第１中足骨底とし、足関節背屈と内反を機能とする筋肉である。なお、膝下第１緊締部１２６は、例えば、図６（Ａ）に示したように、全体にわたり同程度の幅で構成するようにしてもよいが、例えば、図６（Ｂ）に示したように、親指の付け根あたりを包むように、幅を広くしてもよい。外反母趾を予防することができるからである。
【００３５】
膝下第２緊締部１２７は、脛骨１２Ｈの内側上端部から腓腹筋に沿って内側くるぶしの後方をとおり、足の内側から踵骨、舟状骨、立方骨、又は、全楔状骨の底面まで伸長されている。膝下第３緊締部１２８は、脛骨１２Ｈの外側上端部から腓腹筋に沿って外側くるぶしの後方をとおり、足の外側から踵骨、舟状骨、立方骨、又は、全楔状骨の底面まで伸長されている。なお、腓腹筋は、起始を内側頭が大腿骨の内側顆及び隣接部分、外側頭が大腿骨の外側顆及び隣接部分とし、停止をアキレス腱によって踵骨へとし、足関節底屈、及び、下方から作用するときには脛骨に対して大腿骨を屈曲する機能を有する筋肉である。
【００３６】
膝下第２緊締部１２７は、緊締力により後脛骨筋にアプローチし、膝下第３緊締部は、緊締力により長腓骨筋にアプローチして、膝下第１緊締部１２６と共に、歩行時の体重移動が正しくできるように補助するものである。具体的には、歩行中における足の動き、すなわち、爪先離れで足は背屈し回外位となり、回外は接踵のときに始まり、立脚中期が終わると足は回内を始めるという一連の動きが正しく行われるように補助し、それにより体重移動が正しくできるように補助するようになっている。
【００３７】
また、膝下第２緊締部１２７及び膝下第３緊締部１２８は、腓腹筋及びヒラメ筋にもアプローチすることができるので、筋力を強化する機能も有している。更に、膝下第２緊締部１２７及び膝下第３緊締部１２８は、両くるぶしを包み込むように通過するので、踵及び足関節を安定させる機能も有している。更に、膝下第１緊締部１２６、膝下第２緊締部１２７及び膝下第３緊締部１２８を筋肉の停止部まで伸長させることにより、足底のアーチを補助する機能も有している。
【００３８】
このように、本実施の形態に係る股付き衣類によれば、第１の実施の形態で説明した効果に加えて、膝下第１緊締部１２６により前脛骨筋にアプローチし、膝下第２緊締部１２７により後脛骨筋にアプローチし、膝下第３緊締部１２８により長腓骨筋にアプローチするようにしたので、歩行時の体重移動が正しくできるように補助し、外反母趾や脚の怪我を予防することができる。また、腓腹筋及びヒラメ筋にもアプローチすることができ、筋力を強化することもできる。更に、両くるぶしを包み込むように通過するので、踵及び足関節を安定させることができる。
【００３９】
（第３の実施の形態）
図７は、本発明の第３の実施の形態に係るソックス状衣類を前から見た構成を表すものであり、図８は後から見た構成を表すものであり、図９は足裏から見た構成を表すものである。なお、図７及び図８では、対応する人体の骨格を破線により合わせて表している。また、図７から図９では、左脚について示したが、右脚は左脚と左右対称の構成を有している。
【００４０】
このソックス状衣類は、少なくとも膝蓋骨１０Ｄの下から足裏１０Ｅの少なくとも一部までの下半身を覆うものであり、伸縮性生地よりなる本体部１０を備えている。第２の実施の形態とは長さが異なり、膝上部分がなく、膝下部分のみを有するものである。
【００４１】
本体部１０は、少なくとも膝蓋骨１０Ｄの下から足裏１０Ｅの少なくとも一部までの下半身を全体にわたって覆う股付きの被覆部１１と、本体部１０の一部に設けられた緊締力の強い帯状の緊締部１２とを有している。被覆部１１は、体を強く締め付けない方が好ましく、体に沿う程度の伸縮性を有する生地により構成することが好ましい。体を自然な状態とし、体を動かす際に無理な力が加わらないようにするためである。被覆部１１は、足全体を覆っていてもよいが、つま先部分は覆わずに開口されていてもよく、また、踵も開口されていてもよい。
【００４２】
緊締部１２は、例えば、被覆部１１よりも強い緊締力を有する生地、パワーネット等により構成され、被覆部１１に対して縫い合わせたり又は貼り合わせることにより配設されている。緊締部１２の幅は、例えば、１ｃｍから５ｃｍ程度であることが好ましく、全体にわたり同一でもよいが、場所に応じて異なっていてもよい。緊締部１２は、膝下第１緊締部１２６、膝下第２緊締部１２７、及び、膝下第３緊締部１２８を有している。
【００４３】
膝下第１緊締部１２６は、前脛骨筋に沿って起始から停止まで伸長されている。膝下第１緊締部１２６の緊締力により前脛骨筋にアプローチし、歩行時につま先を上がりやすくし、つまずきや転倒を防止すると共に、正しくつま先で地面を蹴ることにより、筋力を増強させるためである。なお、前脛骨筋は、起始を脛骨１２Ｈの外側顆、脛骨１２Ｈの外側面の上部２／３、骨間膜、深筋膜、外側筋間中隔とし、停止を第１楔状骨の内側及び底面側、第１中足骨底とし、足関節背屈と内反を機能とする筋肉である。なお、膝下第１緊締部１２６は、例えば、図９（Ａ）に示したように、全体にわたり同程度の幅で構成するようにしてもよいが、例えば、図９（Ｂ）に示したように、親指の付け根あたりを包むように、幅を広くしてもよい。外反母趾を予防することができるからである。
【００４４】
膝下第２緊締部１２７は、脛骨１２Ｈの内側上端部から腓腹筋に沿って内側くるぶしの後方をとおり、足の内側から踵骨、舟状骨、立方骨、又は、全楔状骨の底面まで伸長されている。膝下第３緊締部１２８は、脛骨１２Ｈの外側上端部から腓腹筋に沿って外側くるぶしの後方をとおり、足の外側から踵骨、舟状骨、立方骨、又は、全楔状骨の底面まで伸長されている。なお、腓腹筋は、起始を内側頭が大腿骨の内側顆及び隣接部分、外側頭が大腿骨の外側顆及び隣接部分とし、停止をアキレス腱によって踵骨へとし、足関節底屈、及び、下方から作用するときには脛骨に対して大腿骨を屈曲する機能を有する筋肉である。
【００４５】
膝下第２緊締部１２７は、緊締力により後脛骨筋にアプローチし、膝下第３緊締部は、緊締力により長腓骨筋にアプローチして、膝下第１緊締部１２６と共に、歩行時の体重移動が正しくできるように補助するものである。具体的には、歩行中における足の動き、すなわち、爪先離れで足は背屈し回外位となり、回外は接踵のときに始まり、立脚中期が終わると足は回内を始めるという一連の動きが正しく行われるように補助し、それにより体重移動が正しくできるように補助するようになっている。
【００４６】
また、膝下第２緊締部１２７及び膝下第３緊締部１２８は、腓腹筋及びヒラメ筋にもアプローチすることができるので、筋力を強化する機能も有している。更に、膝下第２緊締部１２７及び膝下第３緊締部１２８は、両くるぶしを包み込むように通過するので、踵及び足関節を安定させる機能も有している。更に、膝下第１緊締部１２６、膝下第２緊締部１２７及び膝下第３緊締部１２８を筋肉の停止部まで伸長させることにより、足底のアーチを補助する機能も有している。
【００４７】
本体部１０のつま先の開口端部には、つま先に固定するためのゴムなどの伸縮部材よりなるつま先締め付け部２３が設けられていてもよい。また、本体部１０の上端部には、例えば、膝下に締め付けて固定するためのゴムなどの伸縮部材よりなる膝下締め付け部２４が設けられていてもよい。
【００４８】
このように、本実施の形態に係るソックス状衣類によれば、膝下第１緊締部１２６により前脛骨筋にアプローチし、膝下第２緊締部１２７により後脛骨筋にアプローチし、膝下第３緊締部１２８により長腓骨筋にアプローチするようにしたので、歩行時の体重移動が正しくできるように補助し、外反母趾や脚の怪我を予防することができる。また、腓腹筋及びヒラメ筋にもアプローチすることができ、筋力を強化することもできる。更に、両くるぶしを包み込むように通過するので、踵及び足関節を安定させることができる。
【００４９】
以上、実施の形態を挙げて本発明を説明したが、本発明は上記実施の形態に限定されるものではなく、種々変形可能である。例えば、上記実施の形態では、緊締部１２について具体的に説明したが、全てを有していなくてもよく、他の緊締部を有していてもよい。また、上記実施の形態では、本体部１０に加えて、脚締め付け部２１、腰締め付け部２２、つま先締め付け部１３、又は、膝下締め付け部２４を備える場合について説明したが、備えていなくてもよい。
【００５０】
更に、上記第１の実施の形態では、本体部１０により腰１０Ａから大腿部１０Ｂの上側１／２よりも下側まで覆う場合について説明したが、膝蓋骨１０Ｄの上まで覆うようにしてもよく、膝蓋骨１０Ｄの下まで覆うようにしてもよい。加えて、上記第３の実施の形態では、本体部１０により、膝蓋骨１０Ｄの下から足裏１０Ｅの少なくとも一部まで覆う場合について説明したが、膝蓋骨１０Ｄの上から覆うようにしてもよい。
【産業上の利用可能性】
【００５１】
歩行時に正しい体重移動ができるように補助する股付き衣類及びソックス状衣類に適用することができる。
【符号の説明】
【００５２】
１０…本体部、１０Ａ…腰、１０Ｂ…大腿部、１０Ｃ…股関節、１０Ｄ…膝蓋骨、１１…被覆部、１２…緊締部、１２Ａ…上前腸骨棘突起、１２Ｂ…恥骨、１２Ｃ…仙骨、１２Ｄ…腸骨、１２Ｅ…前側中央ライン、１２Ｆ…坐骨、１２Ｇ…坐骨結節、１２Ｈ…脛骨、１２１…腰緊締部、１２２…大腿部第１緊締部、１２３…大腿部第２緊締部、１２４…臀部第１緊締部、１２５…臀部第２緊締部、１２６…膝下第１緊締部、１２７…膝下第２緊締部、１２８…膝下第３緊締部、２１…脚締め付け部、２２…腰締め付け部、２３…つま先締め付け部、２４…膝下締め付け部
【要約】
【課題】簡単に利用することができ、かつ、歩行時に正しい体重移動ができるように補助することができる股付き衣類を提供する。
【解決手段】少なくとも腰１０Ａから大腿部１０Ｂの上側１／２よりも下側までの下半身を覆う伸縮性生地よりなる本体部１０の一部に、緊締力の強い帯状の緊締部１２が設けられている。緊締部１２は、身体の前側を上前腸骨棘突起１２Ａから恥骨１２Ｂに対応する位置まで伸長された腰緊締部１２１と、股関節１０Ｃに対応する身体の側部から斜め下方に大腿部前側に向かい、大腿部１０Ｂの半分よりも下側で、かつ、前側中央ライン１２Ｅよりも内側の領域まで伸長された大腿部第１緊締部１２２と、坐骨１２Ｆから斜め下方に大腿部前側に向かい、大腿部１０Ｂの半分よりも下側で、かつ、前側中央ライン１２Ｅよりも内側の領域まで伸長された大腿部第２緊締部１２３とを有する。
【選択図】図１【図１】
0005396555.tif 000002
【図２】
0005396555.tif 000003
【図３】
0005396555.tif 000004
【図４】
0005396555.tif 000005
【図５】
0005396555.tif 000006
【図６】
0005396555.tif 000007
【図７】
0005396555.tif 000008
【図８】
0005396555.tif 000009
【図９】
0005396555.tif 000010